【手続補正書】
【提出日】平成21年12月14日(2009.12.14)
【手続補正１】
【補正対象書類名】明細書
【補正対象項目名】特許請求の範囲
【補正方法】変更
【補正の内容】
【特許請求の範囲】
【請求項１】
依頼側ユーザーからの、依頼側ユーザーが他人に依頼したいと希望している仕事が行われるべき場所に関する希望場所データを、受信もしくは取得するための希望場所受信手段と、
前記依頼側ユーザーと離れた場所に居る受注側ユーザーであって、他人から依頼された仕事を行うことを希望している受注側ユーザーからの、受注側ユーザーが現在居る現在場所に関するデータ（受注側ユーザーが保有する機器に備えられたＧＰＳ受信機により取得されるデータ若しくはこれにより取得される現在位置座標データ又はこれにより特定される地名、住所もしくは施設名称をいう。）を、受信もしくは取得するための現在場所受信手段と、
前記依頼側ユーザーからの希望場所と前記受注側ユーザーからの現在場所とが互いにほぼ同一又は近い場所であるかどうかを判定するための判定手段と、
前記依頼側ユーザーからの希望場所と前記受注側ユーザーからの現在場所とが互いにほぼ同一又は近いものであると判定されたとき、そのことを、前記依頼側及び受注側の双方又は一方のユーザーに知らせるための告知手段と、
を備えたことを特徴とする仕事マッチングシステム。
【請求項２】
依頼側ユーザーが、他人に依頼したいと希望している仕事が行われるべき場所に関する希望場所データを、入力もしくは送信するための希望場所入力手段と、
前記依頼側ユーザーと離れた場所に居る受注側ユーザーであって、他人から依頼された仕事を行うことを希望している受注側ユーザーが、自分が現在居る現在場所に関するデータ（受注側ユーザーが保有する機器に備えられたＧＰＳ受信機により取得されるデータ若しくはこれにより取得される現在位置座標データ、又はこれにより特定される場所の住所もしくはその場所の目安（目印）となる施設名称）を、入力もしくは送信するための現在場所入力手段と、
前記依頼側ユーザーからの希望場所と前記受注側ユーザーからの現在場所とが互いに同一又は近い場所であるかどうかを判定するための判定手段と、
前記依頼側ユーザーからの希望場所と前記受注側ユーザーからの現在場所とが互いに同一又は近いものであると判定されたとき、そのことを、前記依頼側及び受注側の双方又は一方のユーザーに知らせるための告知手段と、
を備えたことを特徴とする仕事マッチングシステム。
【請求項３】
依頼側ユーザーからの、他人に依頼したいと希望している仕事が行われるべき場所及びその仕事の報酬額を含む依頼希望仕事データを、受信もしくは取得するための依頼希望仕事データ受信手段と、
前記依頼側ユーザーと離れた場所に居る複数の受注側ユーザーであって、他人から依頼された仕事を行うことを希望している複数の受注側ユーザーからの、自分が現在居る現在場所データ（各受注側ユーザーが保有する機器に備えられたＧＰＳ受信機により取得されるデータもくしはこれにより取得される現在位置座標データ又はこれにより特定される地名、住所もしくは施設名称をいう。）及び自分が希望する仕事の報酬額を含む受注希望仕事データを、受信もしくは取得するための受注希望仕事データ受信手段と、
前記依頼側ユーザーからの依頼希望仕事データに含まれる場所及び報酬額と前記複数の受注側ユーザーからの受注希望仕事データに含まれる場所及び報酬額とを比較し、前記複数の受注側ユーザーの中から、前記依頼側ユーザーからの依頼希望仕事データに含まれる場所及び報酬額と適合する受注側ユーザーを、抽出もしくは選択するための抽出手段と、
前記抽出手段により抽出もしくは選択された受注側ユーザーに、前記依頼希望の仕事又は依頼側ユーザーに関する情報を送信するための仕事情報送信手段と、
を備えたことを特徴とする仕事マッチングシステム。
【請求項４】
複数の依頼側ユーザーからの、他人に依頼したいと希望している仕事について、その仕事が行われるべき場所及びその仕事の報酬額を含む依頼希望仕事データを、受信もしくは取得するための依頼希望仕事データ受信手段と、
前記複数の依頼側ユーザーと離れた場所に居る受注側ユーザーであって、他人から依頼された仕事を行うことを希望している受注側ユーザーからの、自分が現在居る現在場所データ（受注側ユーザーが保有する機器に備えられたＧＰＳ受信機により取得されるデータ若しくはこれにより取得される現在位置の座標データ又はこれにより特定される地名、住所もしくは施設名称をいう。）及び自分が希望する仕事の報酬額を含む受注希望仕事データを、受信もしくは取得するための受注希望仕事データ受信手段と、
前記複数の依頼側ユーザーからの各依頼希望仕事データに含まれる場所及び報酬額と前記受注側ユーザーからの受注希望仕事データに含まれる場所及び報酬額とに基づいて、前記複数の依頼側ユーザーの中から、前記受注側ユーザーからの受注希望仕事データに含まれる場所及び報酬額と適合する依頼側ユーザーを抽出もしくは選択するための抽出手段と、
前記抽出手段により抽出もしくは選択された依頼側ユーザー又はその依頼希望の仕事に関する情報を、前記受注側ユーザーに送信するための抽出結果送信手段と、
を備えたことを特徴とする仕事マッチングシステム。
【請求項５】
複数の依頼側ユーザーからの、他人に依頼したいと希望している仕事について、その仕事が行われるべき場所及びその仕事の報酬額を含む依頼希望仕事データを、受信もしくは取得するための依頼希望仕事データ受信手段と、
前記複数の依頼側ユーザーと離れた場所に居る複数の受注側ユーザーであって、他人から依頼された仕事を行うことを希望している複数の受注側ユーザーからの、自分が現在居る現在場所データ（各受注側ユーザーが保有する機器に備えられたＧＰＳ受信機により取得されるデータ若しくはこれにより取得される現在位置座標データ又はこれにより特定される地名、住所もしくは施設名称をいう。）及び自分が希望する仕事の報酬額を含む受注希望仕事データを、受信もしくは取得するための受注希望仕事データ受信手段と、
前記複数の依頼側ユーザーからの依頼希望仕事データに含まれる場所及び報酬額と前記複数の受注側ユーザーからの受注希望仕事データに含まれる場所及び報酬額とに基づいて、互いに場所及び報酬額が適合する組み合せを抽出もしくは選択するための抽出手段と、
前記抽出手段により抽出もしくは選択された結果を、前記抽出もしくは選択された組み合せに係る依頼側及び受注側の双方又は一方のユーザーに、送信するための抽出結果送信手段と、
を備えたことを特徴とする仕事マッチングシステム。
【請求項６】
他人から依頼された仕事を行うことを希望している受注側ユーザーからの、「自分が将来の或る日時に居る場所、その将来の日時、及び希望報酬額を含む受注希望仕事データ」を、受信もしくは取得するための受注希望仕事データ受信手段と、
前記受注側ユーザーと離れた場所に居る複数の依頼側ユーザーからの、「他人に依頼したいと希望している仕事が行われるべき場所、その仕事を行うべき日時、及び希望報酬額を含む依頼希望仕事データ」を、それぞれ、受信もしくは取得するための依頼希望仕事データ受信手段と、
前記複数の依頼側ユーザーからの各依頼希望仕事データに含まれる仕事の場所、日時、及び希望報酬額と、前記受注側ユーザーからの受注希望仕事データに含まれる自分が将来の或る日時に居る場所、その将来の日時、及び希望報酬額とに基づいて、前記複数の依頼側ユーザーの中から、前記受注側ユーザーが提示した自分が将来の或る日時に居る場所、その将来の日時、及び希望報酬額と適合する依頼側ユーザーを、抽出もしくは選択するための抽出手段と、
前記抽出手段により抽出もしくは選択された依頼側ユーザーに関する情報を、前記受注側ユーザーに送信するための仕事情報送信手段と、
を備えたことを特徴とする仕事マッチングシステム。